(57)【要約】【課題】本発明はマフラー編み補助設備を開示した。【解決手段】箱本体を含み、前記箱本体の中には上方に開口した編みチャンバが設置され、前記編みチャンバの下側には棒針チャンバが連通するように設置され、前記棒針チャンバの下側にはガイド穴が連通するように設置され、前記ガイド穴の下側には糸ボールチャンバが連通するように設置され、前記編みチャンバの後側には糸ボール保存チャンバが設置され、前記糸ボール保存チャンバの下側と前記糸ボールチャンバの後壁との間には通路が連通するように設置され、前記糸ボール保存チャンバの上側には上方に開口した入り口が連通するように設置される。【選択図】図１
2020180419.tif 000002
【特許請求の範囲】
【請求項１】
正面視で、箱本体を含み、前記箱本体の中には上方に開口した編みチャンバが設置され、前記編みチャンバの下側には棒針チャンバが連通するように設置され、前記棒針チャンバの下側にはガイド穴が連通するように設置され、前記ガイド穴の下側には糸ボールチャンバが連通するように設置され、前記編みチャンバの後側には糸ボール保存チャンバが設置され、前記糸ボール保存チャンバの下側と前記糸ボールチャンバの後壁との間には通路が連通するように設置され、前記糸ボール保存チャンバの上側には上方に開口した入り口が連通するように設置され、前記編みチャンバの上側には折り板装置が設置され、前記編みチャンバの左側にはロック装置が設置され、前記棒針チャンバの前後側には圧着装置が設置され、前記編みチャンバの前後側には掛け棒装置が設置され、前記掛け棒装置により編んだマフラーの先端を固定し、マフラーを前記編みチャンバの中に保存でき、前記糸ボール保存チャンバの中には複数の糸ボールを置くことができ、糸ボールは前記通路により一つずつ前記糸ボールチャンバの中に落ちることができ、毛糸は前記ガイド穴と前記棒針チャンバとを通過して前記編みチャンバの中で編まれ、
編まないときに棒針を前記棒針チャンバの中に置くことができ、前記折り板装置を閉めるとき前記圧着装置を連動させ棒針の二つの先端を押し、マフラーの乱れを防止し、前記ロック装置により前記折り板装置のロックを解除でき、同時に前記糸ボールチャンバの左側に対し開閉制御を行うことができることを特徴とするマフラー編み補助設備。
【請求項２】
前記折り板装置は前記箱本体の上側に設置される左折り板と右折り板とを含み、前記左折り板と前記右折り板とが回転できるように連結され、前記箱本体の上端面の右端には右方に開口した反転チャンバが設置され、前記反転チャンバの中には前記右折り板の下端面の右端に固定的に連結される反転ブロックが回転できるように設置され、前記反転ブロックの前後端が対称しており、且つ前記反転ブロックの前後端には回転軸が固定的に設置され、前記左折り板の上端面の左端には引き上げ板が固定的に設置され、前記編みチャンバの左側にはロックチャンバが設置され、前記左折り板の下端面には前記ロックチャンバの中に伸びられるロックブロックが固定的に設置され、前記ロックブロックの中には右方に開口したロック溝が設置され、前記ロックチャンバの中には前記ロック溝の中に固定できるロックロッドが反転できるように設置され、前記ロックロッドの右端と前記ロックチャンバの右壁との間には反転ばねが固定的に連結され、前記右折り板の中には貫通口が上下に貫通し設置され、
前記ロックロッドのロックを解除し、前記引き上げ板を引き上げて前記左折り板と前記右折り板とを折畳み、前記ロックブロックが前記貫通口の中に伸びられることを特徴とする請求項１に記載のマフラー編み補助設備。
【請求項３】
前記ロック装置は前記編みチャンバの左側に設置される昇降チャンバを含み、前記昇降チャンバの中には昇降ブロックがスライドできるように設置され、前記昇降ブロックの下端と前記昇降チャンバの下壁との間には復帰ばねが固定的に連結され、前記昇降チャンバの左側には左方に開口した制御チャンバが連通するように設置され、前記昇降ブロックの左端には制御ブロックが固定的に設置され、前記昇降チャンバの上壁と前記ロックチャンバの右壁との間には糸通過穴が連通するように設置され、前記昇降ブロックの上端と前記ロックロッドの右端には前記糸通過穴を貫通する引き糸が固定的に連結され、前記糸ボールチャンバの左側には左方に開口した反転板チャンバが連通するように設置され、前記反転板チャンバの中には仕切板が反転できるように設置され、前記仕切板の中にはガラスが固定的に設置され、前記ガラスにより糸ボールの使用状況を観察でき、前記仕切板の上端面には引掛り溝が設置され、前記反転板チャンバの上側には引掛りロッドチャンバが連通するように設置され、前記引掛りロッドチャンバの中には引掛りロッドがスライドできるように設置され、前記引掛りロッドの上端と前記引掛りロッドチャンバの上壁との間には伸びばねが固定的に連結され、前記引掛りロッドチャンバと前記昇降チャンバとの間にはプッシュチャンバが連通するように設置され、前記引掛りロッドの右端には固定ブロックが固定的に設置され、前記固定ブロックの下端には前記昇降ブロックに固定されるプッシュブロックが当接できるように設置され、
前記昇降ブロックが上昇し前記仕切板のロックを解除し、前記昇降ブロックが降下し前記ロックブロックのロックを解除することを特徴とする請求項１に記載のマフラー編み補助設備。
【請求項４】
前記圧着装置は対称し且つ前記棒針チャンバの前後壁に連通するように設置される押し板チャンバを含み、前記押し板チャンバの中には押し板が反転できるように設置され、前記押し板の軸心端には従動傘歯車が固定的に設置され、前記従動傘歯車において中心から離れている一端には前記押し板チャンバの内壁に回転できるように連結される駆動傘歯車が噛合し設置され、前記押し板チャンバにおいて中心から離れている側にはプーリチャンバが設置され、前記プーリチャンバの中には前記駆動傘歯車に伝動できるように連結される従動プーリが回転できるように設置され、前記回転軸において中心から離れている一端が前記プーリチャンバの中に伸びており、また前記回転軸において中心から離れている一端には駆動プーリが固定的に設置され、前記従動プーリと前記駆動プーリとの間には伝動ベルトが周設され、
前記掛け棒装置は対称し且つ前記編みチャンバの前後壁に連通するように設置される伸縮チャンバを含み、前記伸縮チャンバの中には伸縮板がスライドできるように設置され、前記伸縮チャンバと前記伸縮板との間には圧着ばねが固定的に連結され、前記伸縮板の中には向かい合って開口した伸び穴が設置され、前記編みチャンバの中には前後端が前記伸び穴の中に伸びている掛けロッドが設置され、
前記押し板が棒針を圧着でき、前記掛けロッドが取り外し可能であり、またマフラーの先端を固定することを特徴とする請求項１に記載のマフラー編み補助設備。
【発明の詳細な説明】
【技術分野】
【０００１】
本発明は編み技術分野を取り上げて、具体的にはマフラー編み補助設備である。
【背景技術】
【０００２】
多くの女の子はマフラーを編むことが好きであるが、マフラーを編むと同時に不適当に保管すると、糸が絡み合っている状況があり、時間がかかり、また、棒針の保存が良くないと手を傷つける可能性があり、従って、マフラー編み補助設備が必要となり、本装置がマフラーと、糸ボールと棒針をそれぞれ保存し、糸が絡み合うことを避け、同時に使用しないときに、棒針の両端を圧着し、失いにくい一方、手を傷つけなく、良いマフラー編み補助作用を果たす。
【先行技術文献】
【特許文献】
【０００３】
【特許文献１】中国特許出願公開第１０６５４１３８１号明細書
【発明の概要】
【発明が解決しようとする課題】
【０００４】
本発明の目的はマフラー編み補助設備を提供し、それは上記の現在の技術中の問題を解決できる。
【課題を解決するための手段】
【０００５】
本発明のマフラー編み補助設備は、箱本体を含み、前記箱本体の中には上方に開口した編みチャンバが設置され、前記編みチャンバの下側には棒針チャンバが連通するように設置され、前記棒針チャンバの下側にはガイド穴が連通するように設置され、前記ガイド穴の下側には糸ボールチャンバが連通するように設置され、前記編みチャンバの後側には糸ボール保存チャンバが設置され、前記糸ボール保存チャンバの下側と前記糸ボールチャンバの後壁との間には通路が連通するように設置され、前記糸ボール保存チャンバの上側には上方に開口した入り口が連通するように設置され、前記編みチャンバの上側には折り板装置が設置され、前記編みチャンバの左側にはロック装置が設置され、前記棒針チャンバの前後側には圧着装置が設置され、前記編みチャンバの前後側には掛け棒装置が設置され、前記掛け棒装置により編んだマフラーの先端を固定し、マフラーを前記編みチャンバの中に保存でき、前記糸ボール保存チャンバの中には複数の糸ボールを置くことができ、糸ボールは前記通路により一つずつ前記糸ボールチャンバの中に落ちることができ、毛糸は前記ガイド穴と前記棒針チャンバとを通過して前記編みチャンバの中で編まれ、
編まないときに棒針を前記棒針チャンバの中に置くことができ、前記折り板装置を閉めるとき前記圧着装置を連動させ棒針の二つの先端を押し、マフラーの乱れを防止し、前記ロック装置により前記折り板装置のロックを解除でき、同時に前記糸ボールチャンバの左側に対し開閉制御を行うことができる。
【０００６】
さらなる技術プラン、前記折り板装置は前記箱本体の上側に設置される左折り板と右折り板とを含み、前記左折り板と前記右折り板とが回転できるように連結され、前記箱本体の上端面の右端には右方に開口した反転チャンバが設置され、前記反転チャンバの中には前記右折り板の下端面の右端に固定的に連結される反転ブロックが回転できるように設置され、前記反転ブロックの前後端が対称しており、且つ前記反転ブロックの前後端には回転軸が固定的に設置され、前記左折り板の上端面の左端には引き上げ板が固定的に設置され、前記編みチャンバの左側にはロックチャンバが設置され、前記左折り板の下端面には前記ロックチャンバの中に伸びられるロックブロックが固定的に設置され、前記ロックブロックの中には右方に開口したロック溝が設置され、前記ロックチャンバの中には前記ロック溝の中に固定できるロックロッドが反転できるように設置され、前記ロックロッドの右端と前記ロックチャンバの右壁との間には反転ばねが固定的に連結され、前記右折り板の中には貫通口が上下に貫通し設置され、
前記ロックロッドのロックを解除し、前記引き上げ板を引き上げて前記左折り板と前記右折り板とを折畳み、前記ロックブロックが前記貫通口の中に伸びられる。
【０００７】
さらなる技術プラン、前記ロック装置は前記編みチャンバの左側に設置される昇降チャンバを含み、前記昇降チャンバの中には昇降ブロックがスライドできるように設置され、前記昇降ブロックの下端と前記昇降チャンバの下壁との間には復帰ばねが固定的に連結され、前記昇降チャンバの左側には左方に開口した制御チャンバが連通するように設置され、前記昇降ブロックの左端には制御ブロックが固定的に設置され、前記昇降チャンバの上壁と前記ロックチャンバの右壁との間には糸通過穴が連通するように設置され、前記昇降ブロックの上端と前記ロックロッドの右端には前記糸通過穴を貫通する引き糸が固定的に連結され、前記糸ボールチャンバの左側には左方に開口した反転板チャンバが連通するように設置され、前記反転板チャンバの中には仕切板が反転できるように設置され、前記仕切板の中にはガラスが固定的に設置され、前記ガラスにより糸ボールの使用状況を観察でき、前記仕切板の上端面には引掛り溝が設置され、前記反転板チャンバの上側には引掛りロッドチャンバが連通するように設置され、前記引掛りロッドチャンバの中には引掛りロッドがスライドできるように設置され、前記引掛りロッドの上端と前記引掛りロッドチャンバの上壁との間には伸びばねが固定的に連結され、前記引掛りロッドチャンバと前記昇降チャンバとの間にはプッシュチャンバが連通するように設置され、前記引掛りロッドの右端には固定ブロックが固定的に設置され、前記固定ブロックの下端には前記昇降ブロックに固定されるプッシュブロックが当接できるように設置され、
前記昇降ブロックが上昇し前記仕切板のロックを解除し、前記昇降ブロックが降下し前記ロックブロックのロックを解除する。
【０００８】
さらなる技術プラン、前記圧着装置は対称し且つ前記棒針チャンバの前後壁に連通するように設置される押し板チャンバを含み、前記押し板チャンバの中には押し板が反転できるように設置され、前記押し板の軸心端には従動傘歯車が固定的に設置され、前記従動傘歯車において中心から離れている一端には前記押し板チャンバの内壁に回転できるように連結される駆動傘歯車が噛合し設置され、前記押し板チャンバにおいて中心から離れている側にはプーリチャンバが設置され、前記プーリチャンバの中には前記駆動傘歯車に伝動できるように連結される従動プーリが回転できるように設置され、前記回転軸において中心から離れている一端が前記プーリチャンバの中に伸びており、また前記回転軸において中心から離れている一端には駆動プーリが固定的に設置され、前記従動プーリと前記駆動プーリとの間には伝動ベルトが周設され、
前記掛け棒装置は対称し且つ前記編みチャンバの前後壁に連通するように設置される伸縮チャンバを含み、前記伸縮チャンバの中には伸縮板がスライドできるように設置され、前記伸縮チャンバと前記伸縮板との間には圧着ばねが固定的に連結され、前記伸縮板の中には向かい合って開口した伸び穴が設置され、前記編みチャンバの中には前後端が前記伸び穴の中に伸びている掛けロッドが設置され、
前記押し板が棒針を圧着でき、前記掛けロッドが取り外し可能であり、またマフラーの先端を固定する。
【発明の効果】
【０００９】
本発明の有益的な効果は：本発明は構造が簡単で、操作が便利であり、本装置により編んだ部分と、棒針と、糸ボールとを分けて保存し、糸が絡み合うことを避け、同時に棒針を固定し、取るときに手を傷つけることを避け、編みをよく補助できる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のマフラー編み補助設備の内部全体構造概略図
【図２】図２は図１のＡ―Ａ方向の構造概略図
【図３】図３は図１のＢ―Ｂ方向の構造概略図
【図４】図４は図１のＣの拡大概略図
【図５】図５は図１のＤの拡大概略図
【発明を実施するための形態】
【００１２】
図１〜５に参照し、本発明のマフラー編み補助設備は、箱本体１１を含み、前記箱本体１１の中には上方に開口した編みチャンバ１２が設置され、前記編みチャンバ１２の下側には棒針チャンバ１３が連通するように設置され、前記棒針チャンバ１３の下側にはガイド穴１４が連通するように設置され、前記ガイド穴１４の下側には糸ボールチャンバ１５が連通するように設置され、前記編みチャンバ１２の後側には糸ボール保存チャンバ１６が設置され、前記糸ボール保存チャンバ１６の下側と前記糸ボールチャンバ１５の後壁との間には通路１７が連通するように設置され、前記糸ボール保存チャンバ１６の上側には上方に開口した入り口１８が連通するように設置され、前記編みチャンバ１２の上側には折り板装置１０１が設置され、前記編みチャンバ１２の左側にはロック装置１０２が設置され、前記棒針チャンバ１３の前後側には圧着装置１０３が設置され、前記編みチャンバ１２の前後側には掛け棒装置１０４が設置され、前記掛け棒装置１０４により編んだマフラーの先端を固定し、マフラーを前記編みチャンバ１２の中に保存でき、前記糸ボール保存チャンバ１６の中には複数の糸ボールを置くことができ、糸ボールは前記通路１７により一つずつ前記糸ボールチャンバ１５の中に落ちることができ、毛糸は前記ガイド穴１４と前記棒針チャンバ１３とを通過して前記編みチャンバ１２の中で編まれ、
編まないときに棒針を前記棒針チャンバ１３の中に置くことができ、前記折り板装置１０１を閉めるとき前記圧着装置１０３を連動させ棒針の二つの先端を押し、マフラーの乱れを防止し、前記ロック装置１０２により前記折り板装置１０１のロックを解除でき、同時に前記糸ボールチャンバ１５の左側に対し開閉制御を行うことができる。
【００１３】
有益的には、前記折り板装置１０１は前記箱本体１１の上側に設置される左折り板１９と右折り板２０とを含み、前記左折り板１９と前記右折り板２０とが回転できるように連結され、前記箱本体１１の上端面の右端には右方に開口した反転チャンバ２１が設置され、前記反転チャンバ２１の中には前記右折り板２０の下端面の右端に固定的に連結される反転ブロック２２が回転できるように設置され、前記反転ブロック２２の前後端が対称しており、且つ前記反転ブロック２２の前後端には回転軸２３が固定的に設置され、前記左折り板１９の上端面の左端には引き上げ板２４が固定的に設置され、前記編みチャンバ１２の左側にはロックチャンバ２５が設置され、前記左折り板１９の下端面には前記ロックチャンバ２５の中に伸びられるロックブロック２６が固定的に設置され、前記ロックブロック２６の中には右方に開口したロック溝２７が設置され、前記ロックチャンバ２５の中には前記ロック溝２７の中に固定できるロックロッド２８が反転できるように設置され、前記ロックロッド２８の右端と前記ロックチャンバ２５の右壁との間には反転ばね３０が固定的に連結され、前記右折り板２０の中には貫通口３１が上下に貫通し設置され、
前記ロックロッド２８のロックを解除し、前記引き上げ板２４を引き上げて前記左折り板１９と前記右折り板２０とを折畳み、前記ロックブロック２６が前記貫通口３１の中に伸びられる。
【００１４】
有益的には、前記ロック装置１０２は前記編みチャンバ１２の左側に設置される昇降チャンバ３２を含み、前記昇降チャンバ３２の中には昇降ブロック３３がスライドできるように設置され、前記昇降ブロック３３の下端と前記昇降チャンバ３２の下壁との間には復帰ばね３４が固定的に連結され、前記昇降チャンバ３２の左側には左方に開口した制御チャンバ３５が連通するように設置され、前記昇降ブロック３３の左端には制御ブロック３６が固定的に設置され、前記昇降チャンバ３２の上壁と前記ロックチャンバ２５の右壁との間には糸通過穴３７が連通するように設置され、前記昇降ブロック３３の上端と前記ロックロッド２８の右端には前記糸通過穴３７を貫通する引き糸３８が固定的に連結され、前記糸ボールチャンバ１５の左側には左方に開口した反転板チャンバ３９が連通するように設置され、前記反転板チャンバ３９の中には仕切板４０が反転できるように設置され、前記仕切板４０の中にはガラス４８が固定的に設置され、前記ガラス４８により糸ボールの使用状況を観察でき、前記仕切板４０の上端面には引掛り溝４１が設置され、前記反転板チャンバ３９の上側には引掛りロッドチャンバ４２が連通するように設置され、前記引掛りロッドチャンバ４２の中には引掛りロッド４３がスライドできるように設置され、前記引掛りロッド４３の上端と前記引掛りロッドチャンバ４２の上壁との間には伸びばね４４が固定的に連結され、前記引掛りロッドチャンバ４２と前記昇降チャンバ３２との間にはプッシュチャンバ４５が連通するように設置され、前記引掛りロッド４３の右端には固定ブロック４６が固定的に設置され、前記固定ブロック４６の下端には前記昇降ブロック３３に固定されるプッシュブロック４７が当接できるように設置され、
前記昇降ブロック３３が上昇し前記仕切板４０のロックを解除し、前記昇降ブロック３３が降下し前記ロックブロック２６のロックを解除する。
【００１５】
有益的には、前記圧着装置１０３は対称し且つ前記棒針チャンバ１３の前後壁に連通するように設置される押し板チャンバ４９を含み、前記押し板チャンバ４９の中には押し板５０が反転できるように設置され、前記押し板５０の軸心端には従動傘歯車５１が固定的に設置され、前記従動傘歯車５１において中心から離れている一端には前記押し板チャンバ４９の内壁に回転できるように連結される駆動傘歯車５２が噛合し設置され、前記押し板チャンバ４９において中心から離れている側にはプーリチャンバ５３が設置され、前記プーリチャンバ５３の中には前記駆動傘歯車５２に伝動できるように連結される従動プーリ５４が回転できるように設置され、前記回転軸２３において中心から離れている一端が前記プーリチャンバ５３の中に伸びており、また前記回転軸２３において中心から離れている一端には駆動プーリ５５が固定的に設置され、前記従動プーリ５４と前記駆動プーリ５５との間には伝動ベルト５６が周設され、
前記掛け棒装置１０４は対称し且つ前記編みチャンバ１２の前後壁に連通するように設置される伸縮チャンバ５７を含み、前記伸縮チャンバ５７の中には伸縮板５８がスライドできるように設置され、前記伸縮チャンバ５７と前記伸縮板５８との間には圧着ばね５９が固定的に連結され、前記伸縮板５８の中には向かい合って開口した伸び穴６０が設置され、前記編みチャンバ１２の中には前後端が前記伸び穴６０の中に伸びている掛けロッド６１が設置され、
前記押し板５０が棒針を圧着でき、前記掛けロッド６１が取り外し可能であり、またマフラーの先端を固定する。
【００１６】
初期状態には、左折り板１９と右折り板２０とが水平状態にあり、仕切板４０が糸ボールチャンバ１５を密封する。
【００１７】
マフラーを編むとき、制御ブロック３６を下に押し昇降ブロック３３を降下連動させ、引き糸３８によりロックロッド２８を引きロック溝２７から右へ反転し出させ、引き上げ板２４により左折り板１９と右折り板２０とを垂直状態に折畳み、また編みチャンバ１２を開け、このとき反転ブロック２２が回転し回転軸２３により駆動プーリ５５を回転連動させ、伝動ベルト５６により従動プーリ５４を回転連動させ、また駆動傘歯車５２を回転連動させ、歯車噛合により従動傘歯車５１を回転連動させ、また押し板５０を押し板チャンバ４９の中まで反転連動させ、伸縮板５８を両側に押し、掛けロッド６１を取り外し、マフラーの先端を掛けロッド６１に編んだ後に掛けロッド６１を復帰させ、そして編み、糸ボールを使い切る前に、制御ブロック３６を上に引き昇降ブロック３３を上昇連動させ、プッシュブロック４７により固定ブロック４６と引掛りロッド４３とを上昇連動させ、仕切板４０を反転させ、反転板チャンバ３９を開け、糸ボールチャンバ１５の中に落ちる次の糸ボールを使い切れそうになっている糸と接合し、ガラス４８を閉めると編み続けることができ、編みが停止されると、棒針を棒針チャンバ１３の中に置き、マフラーをきれいに編みチャンバ１２の中に置き、左折り板１９と右折り板２０とを初期状態に戻らせ、このとき押し板５０が棒針の両端を圧着する。
【００１８】
本発明の有益的な効果は：本発明は構造が簡単で、操作が便利であり、本装置により編んだ部分と、棒針と、糸ボールとを分けて保存し、糸が絡み合うことを避け、同時に棒針を固定し、取るときに手を傷つけることを避け、編みをよく補助できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180419.tif 000003
【図２】
2020180419.tif 000004
【図３】
2020180419.tif 000005
【図４】
2020180419.tif 000006
【図５】
2020180419.tif 000007
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
正面視で、箱本体を含み、前記箱本体の中には上方に開口した編みチャンバが設置され、前記編みチャンバの下側には棒針チャンバが連通するように設置され、前記棒針チャンバの下側にはガイド穴が連通するように設置され、前記ガイド穴の下側には糸ボールチャンバが連通するように設置され、前記編みチャンバの後側には糸ボール保存チャンバが設置され、前記糸ボール保存チャンバの下側と前記糸ボールチャンバの後壁との間には通路が連通するように設置され、前記糸ボール保存チャンバの上側には上方に開口した入り口が連通するように設置され、前記編みチャンバの上側には折り板装置が設置され、前記編みチャンバの左側にはロック装置が設置され、前記棒針チャンバの前後側には圧着装置が設置され、前記編みチャンバの中には掛け棒装置が設置され、前記掛け棒装置により編んだマフラーの先端を固定し、マフラーを前記編みチャンバの中に保存でき、前記糸ボール保存チャンバの中には複数の糸ボールを置くことができ、糸ボールは前記通路により一つずつ前記糸ボールチャンバの中に落ちることができ、毛糸は前記ガイド穴と前記棒針チャンバとを通過して前記編みチャンバの中で編まれ、  
編まないときに棒針を前記棒針チャンバの中に置くことができ、前記折り板装置を閉めるとき前記圧着装置を連動させ棒針の二つの先端を押し、マフラーの乱れを防止し、前記ロック装置により前記折り板装置のロックを解除でき、同時に前記糸ボールチャンバの左側に対し開閉制御を行い、
前記折り板装置は前記箱本体の上側に設置される左折り板と右折り板とを含み、前記左折り板と前記右折り板とが回転できるように連結され、前記箱本体の上端面の右端には右方に開口した反転チャンバが設置され、前記反転チャンバの中には前記右折り板の下端面の右端に固定的に連結される反転ブロックが回転できるように設置され、前記反転ブロックの前後端が対称しており、且つ前記反転ブロックの前後端には回転軸が固定的に設置され、前記左折り板の上端面の左端には引き上げ板が固定的に設置され、前記編みチャンバの左側にはロックチャンバが設置され、前記左折り板の下端面には前記ロックチャンバの中に伸びられるロックブロックが固定的に設置され、前記ロックブロックの中には右方に開口したロック溝が設置され、前記ロックチャンバの中には前記ロック溝の中に固定できるロックロッドが反転できるように設置され、前記ロックロッドの右端と前記ロックチャンバの右壁との間には反転ばねが固定的に連結され、前記右折り板の中には貫通口が上下に貫通し設置され、  
前記ロックロッドのロックを解除し、前記引き上げ板を引き上げて前記左折り板と前記右折り板とを折畳み、前記ロックブロックが前記貫通口の中に伸びられ、  
前記ロック装置は前記編みチャンバの左側に設置される昇降チャンバを含み、前記昇降チャンバの中には昇降ブロックがスライドできるように設置され、前記昇降ブロックの下端と前記昇降チャンバの下壁との間には復帰ばねが固定的に連結され、前記昇降チャンバの左側には左方に開口した制御チャンバが連通するように設置され、前記昇降ブロックの左端には制御ブロックが固定的に設置され、前記昇降チャンバの上壁と前記ロックチャンバの右壁との間には糸通過穴が連通するように設置され、前記昇降ブロックの上端と前記ロックロッドの右端には前記糸通過穴を貫通する引き糸が固定的に連結され、前記糸ボールチャンバの左側には左方に開口した反転板チャンバが連通するように設置され、前記反転板チャンバの中には仕切板が反転できるように設置され、前記仕切板の中にはガラスが固定的に設置され、前記ガラスにより糸ボールの使用状況を観察でき、前記仕切板の上端面には引掛り溝が設置され、前記反転板チャンバの上側には引掛りロッドチャンバが連通するように設置され、前記引掛りロッドチャンバの中には引掛りロッドがスライドできるように設置され、前記引掛りロッドの上端と前記引掛りロッドチャンバの上壁との間には伸びばねが固定的に連結され、前記引掛りロッドチャンバと前記昇降チャンバとの間にはプッシュチャンバが連通するように設置され、前記引掛りロッドの右端には固定ブロックが固定的に設置され、前記固定ブロックの下端には前記昇降ブロックに固定されるプッシュブロックが当接できるように設置され、  
前記昇降ブロックが上昇し前記仕切板のロックを解除し、前記昇降ブロックが降下し前記ロックブロックのロックを解除し、 
前記圧着装置は前記棒針チャンバの前後壁に対称的に、且つ連通するように設置される押し板チャンバを含み、前記押し板チャンバの中には押し板が反転できるように設置され、前記押し板の軸心端には従動傘歯車が固定的に設置され、前記従動傘歯車において中心から離れている一端には前記押し板チャンバの内壁に回転できるように連結される駆動傘歯車が噛合し設置され、前記押し板チャンバにおいて中心から離れている側にはプーリチャンバが設置され、前記プーリチャンバの中には前記駆動傘歯車に伝動できるように連結される従動プーリが回転できるように設置され、前記回転軸において中心から離れている一端が前記プーリチャンバの中に伸びており、また前記回転軸において中心から離れている一端には駆動プーリが固定的に設置され、前記従動プーリと前記駆動プーリとの間には伝動ベルトが周設され、  
前記掛け棒装置は前記編みチャンバの前後壁に対称的に、且つ連通するように設置される伸縮チャンバを含み、前記伸縮チャンバの中には伸縮板がスライドできるように設置され、前記伸縮チャンバと前記伸縮板との間には圧着ばねが固定的に連結され、前記伸縮板の中には向かい合って開口した伸び穴が設置され、前記編みチャンバの中には前後端が前記伸び穴の中に伸びている掛けロッドが設置され、  
前記押し板が棒針を圧着でき、前記掛けロッドが取り外し可能であり、またマフラーの先端を固定することを特徴とするマフラー編み補助設備。
【手続補正２】
【補正対象書類名】明細書
【補正対象項目名】全文
【補正方法】変更
【補正の内容】
【発明の詳細な説明】
【技術分野】
【０００１】
本発明は編み技術分野を取り上げて、具体的にはマフラー編み補助設備である。  
【背景技術】
【０００２】
多くの女の子はマフラーを編むことが好きであるが、マフラーを編むと同時に不適当に保管すると、糸が絡み合っている状況があり、時間がかかり、また、棒針の保存が良くないと手を傷つける可能性があり、従って、マフラー編み補助設備が必要となり、本装置がマフラーと、糸ボールと棒針をそれぞれ保存し、糸が絡み合うことを避け、同時に使用しないときに、棒針の両端を圧着し、失いにくい一方、手を傷つけなく、良いマフラー編み補助作用を果たす。  
【先行技術文献】
【特許文献】
【０００３】
【特許文献１】中国特許出願公開第１０６５４１３８１号明細書
【発明の概要】
【発明が解決しようとする課題】
【０００４】
本発明の目的はマフラー編み補助設備を提供し、それは上記の現在の技術中の問題を解決できる。  
【課題を解決するための手段】
【０００５】
本発明のマフラー編み補助設備は、箱本体を含み、前記箱本体の中には上方に開口した編みチャンバが設置され、前記編みチャンバの下側には棒針チャンバが連通するように設置され、前記棒針チャンバの下側にはガイド穴が連通するように設置され、前記ガイド穴の下側には糸ボールチャンバが連通するように設置され、前記編みチャンバの後側には糸ボール保存チャンバが設置され、前記糸ボール保存チャンバの下側と前記糸ボールチャンバの後壁との間には通路が連通するように設置され、前記糸ボール保存チャンバの上側には上方に開口した入り口が連通するように設置され、前記編みチャンバの上側には折り板装置が設置され、前記編みチャンバの左側にはロック装置が設置され、前記棒針チャンバの前後側には圧着装置が設置され、前記編みチャンバの中には掛け棒装置が設置され、前記掛け棒装置により編んだマフラーの先端を固定し、マフラーを前記編みチャンバの中に保存でき、前記糸ボール保存チャンバの中には複数の糸ボールを置くことができ、糸ボールは前記通路により一つずつ前記糸ボールチャンバの中に落ちることができ、毛糸は前記ガイド穴と前記棒針チャンバとを通過して前記編みチャンバの中で編まれ、  
編まないときに棒針を前記棒針チャンバの中に置くことができ、前記折り板装置を閉めるとき前記圧着装置を連動させ棒針の二つの先端を押し、マフラーの乱れを防止し、前記ロック装置により前記折り板装置のロックを解除でき、同時に前記糸ボールチャンバの左側に対し開閉制御を行うことができる。  
【０００６】
さらなる技術プラン、前記折り板装置は前記箱本体の上側に設置される左折り板と右折り板とを含み、前記左折り板と前記右折り板とが回転できるように連結され、前記箱本体の上端面の右端には右方に開口した反転チャンバが設置され、前記反転チャンバの中には前記右折り板の下端面の右端に固定的に連結される反転ブロックが回転できるように設置され、前記反転ブロックの前後端が対称しており、且つ前記反転ブロックの前後端には回転軸が固定的に設置され、前記左折り板の上端面の左端には引き上げ板が固定的に設置され、前記編みチャンバの左側にはロックチャンバが設置され、前記左折り板の下端面には前記ロックチャンバの中に伸びられるロックブロックが固定的に設置され、前記ロックブロックの中には右方に開口したロック溝が設置され、前記ロックチャンバの中には前記ロック溝の中に固定できるロックロッドが反転できるように設置され、前記ロックロッドの右端と前記ロックチャンバの右壁との間には反転ばねが固定的に連結され、前記右折り板の中には貫通口が上下に貫通し設置され、  
前記ロックロッドのロックを解除し、前記引き上げ板を引き上げて前記左折り板と前記右折り板とを折畳み、前記ロックブロックが前記貫通口の中に伸びられる。  
【０００７】
さらなる技術プラン、前記ロック装置は前記編みチャンバの左側に設置される昇降チャンバを含み、前記昇降チャンバの中には昇降ブロックがスライドできるように設置され、前記昇降ブロックの下端と前記昇降チャンバの下壁との間には復帰ばねが固定的に連結され、前記昇降チャンバの左側には左方に開口した制御チャンバが連通するように設置され、  
前記昇降ブロックの左端には制御ブロックが固定的に設置され、前記昇降チャンバの上壁と前記ロックチャンバの右壁との間には糸通過穴が連通するように設置され、前記昇降ブロックの上端と前記ロックロッドの右端には前記糸通過穴を貫通する引き糸が固定的に連結され、前記糸ボールチャンバの左側には左方に開口した反転板チャンバが連通するように設置され、前記反転板チャンバの中には仕切板が反転できるように設置され、前記仕切板の中にはガラスが固定的に設置され、前記ガラスにより糸ボールの使用状況を観察でき、前記仕切板の上端面には引掛り溝が設置され、前記反転板チャンバの上側には引掛りロッドチャンバが連通するように設置され、前記引掛りロッドチャンバの中には引掛りロッドがスライドできるように設置され、前記引掛りロッドの上端と前記引掛りロッドチャンバの上壁との間には伸びばねが固定的に連結され、前記引掛りロッドチャンバと前記昇降チャンバとの間にはプッシュチャンバが連通するように設置され、前記引掛りロッドの右端には固定ブロックが固定的に設置され、前記固定ブロックの下端には前記昇降ブロックに固定されるプッシュブロックが当接できるように設置され、  
前記昇降ブロックが上昇し前記仕切板のロックを解除し、前記昇降ブロックが降下し前記ロックブロックのロックを解除する。  
【０００８】
さらなる技術プラン、前記圧着装置は前記棒針チャンバの前後壁に対称的に、且つ連通するように設置される押し板チャンバを含み、前記押し板チャンバの中には押し板が反転できるように設置され、前記押し板の軸心端には従動傘歯車が固定的に設置され、前記従動傘歯車において中心から離れている一端には前記押し板チャンバの内壁に回転できるように連結される駆動傘歯車が噛合し設置され、前記押し板チャンバにおいて中心から離れている側にはプーリチャンバが設置され、前記プーリチャンバの中には前記駆動傘歯車に伝動できるように連結される従動プーリが回転できるように設置され、前記回転軸において中心から離れている一端が前記プーリチャンバの中に伸びており、また前記回転軸において中心から離れている一端には駆動プーリが固定的に設置され、前記従動プーリと前記駆動プーリとの間には伝動ベルトが周設され、  
前記掛け棒装置は前記編みチャンバの前後壁に対称的に、且つ連通するように設置される伸縮チャンバを含み、前記伸縮チャンバの中には伸縮板がスライドできるように設置され、前記伸縮チャンバと前記伸縮板との間には圧着ばねが固定的に連結され、前記伸縮板の中には向かい合って開口した伸び穴が設置され、前記編みチャンバの中には前後端が前記伸び穴の中に伸びている掛けロッドが設置され、  
前記押し板が棒針を圧着でき、前記掛けロッドが取り外し可能であり、またマフラーの先端を固定する。  
【発明の効果】
【０００９】
本発明の有益的な効果は：本発明は構造が簡単で、操作が便利であり、本装置により編んだ部分と、棒針と、糸ボールとを分けて保存し、糸が絡み合うことを避け、同時に棒針を固定し、取るときに手を傷つけることを避け、編みをよく補助できる。  
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明のマフラー編み補助設備の内部全体構造概略図
【図２】図２は図１のＡ―Ａ方向の構造概略図
【図３】図３は図１のＢ―Ｂ方向の構造概略図
【図４】図４は図１のＣの拡大概略図
【図５】図５は図１のＤの拡大概略図
【発明を実施するための形態】
【００１２】
図１〜５に参照し、本発明のマフラー編み補助設備は、箱本体１１を含み、前記箱本体１１の中には上方に開口した編みチャンバ１２が設置され、前記編みチャンバ１２の下側には棒針チャンバ１３が連通するように設置され、前記棒針チャンバ１３の下側にはガイド穴１４が連通するように設置され、前記ガイド穴１４の下側には糸ボールチャンバ１５が連通するように設置され、前記編みチャンバ１２の後側には糸ボール保存チャンバ１６が設置され、前記糸ボール保存チャンバ１６の下側と前記糸ボールチャンバ１５の後壁との間には通路１７が連通するように設置され、前記糸ボール保存チャンバ１６の上側には上方に開口した入り口１８が連通するように設置され、前記編みチャンバ１２の上側には折り板装置１０１が設置され、前記編みチャンバ１２の左側にはロック装置１０２が設置され、前記棒針チャンバ１３の前後側には圧着装置１０３が設置され、前記編みチャンバ１２の中には掛け棒装置１０４が設置され、前記掛け棒装置１０４により編んだマフラーの先端を固定し、マフラーを前記編みチャンバ１２の中に保存でき、前記糸ボール保存チャンバ１６の中には複数の糸ボールを置くことができ、糸ボールは前記通路１７により一つずつ前記糸ボールチャンバ１５の中に落ちることができ、毛糸は前記ガイド穴１４と前記棒針チャンバ１３とを通過して前記編みチャンバ１２の中で編まれ、  
編まないときに棒針を前記棒針チャンバ１３の中に置くことができ、前記折り板装置１０１を閉めるとき前記圧着装置１０３を連動させ棒針の二つの先端を押し、マフラーの乱れを防止し、前記ロック装置１０２により前記折り板装置１０１のロックを解除でき、同時に前記糸ボールチャンバ１５の左側に対し開閉制御を行うことができる。  
【００１３】
有益的には、前記折り板装置１０１は前記箱本体１１の上側に設置される左折り板１９と右折り板２０とを含み、前記左折り板１９と前記右折り板２０とが回転できるように連結され、前記箱本体１１の上端面の右端には右方に開口した反転チャンバ２１が設置され、前記反転チャンバ２１の中には前記右折り板２０の下端面の右端に固定的に連結される反転ブロック２２が回転できるように設置され、前記反転ブロック２２の前後端が対称しており、且つ前記反転ブロック２２の前後端には回転軸２３が固定的に設置され、前記左折り板１９の上端面の左端には引き上げ板２４が固定的に設置され、前記編みチャンバ１２の左側にはロックチャンバ２５が設置され、前記左折り板１９の下端面には前記ロックチャンバ２５の中に伸びられるロックブロック２６が固定的に設置され、前記ロックブロック２６の中には右方に開口したロック溝２７が設置され、前記ロックチャンバ２５の中には前記ロック溝２７の中に固定できるロックロッド２８が反転できるように設置され、前記ロックロッド２８の右端と前記ロックチャンバ２５の右壁との間には反転ばね３０が固定的に連結され、前記右折り板２０の中には貫通口３１が上下に貫通し設置され、  
前記ロックロッド２８のロックを解除し、前記引き上げ板２４を引き上げて前記左折り板１９と前記右折り板２０とを折畳み、前記ロックブロック２６が前記貫通口３１の中に伸びられる。  
【００１４】
有益的には、前記ロック装置１０２は前記編みチャンバ１２の左側に設置される昇降チャンバ３２を含み、前記昇降チャンバ３２の中には昇降ブロック３３がスライドできるように設置され、前記昇降ブロック３３の下端と前記昇降チャンバ３２の下壁との間には復帰ばね３４が固定的に連結され、前記昇降チャンバ３２の左側には左方に開口した制御チャンバ３５が連通するように設置され、前記昇降ブロック３３の左端には制御ブロック３６が固定的に設置され、前記昇降チャンバ３２の上壁と前記ロックチャンバ２５の右壁との間には糸通過穴３７が連通するように設置され、前記昇降ブロック３３の上端と前記ロックロッド２８の右端には前記糸通過穴３７を貫通する引き糸３８が固定的に連結され、前記糸ボールチャンバ１５の左側には左方に開口した反転板チャンバ３９が連通するように設置され、前記反転板チャンバ３９の中には仕切板４０が反転できるように設置され、前記仕切板４０の中にはガラス４８が固定的に設置され、前記ガラス４８により糸ボールの使用状況を観察でき、前記仕切板４０の上端面には引掛り溝４１が設置され、前記反転板チャンバ３９の上側には引掛りロッドチャンバ４２が連通するように設置され、前記引掛りロッドチャンバ４２の中には引掛りロッド４３がスライドできるように設置され、前記引掛りロッド４３の上端と前記引掛りロッドチャンバ４２の上壁との間には伸びばね４４が固定的に連結され、前記引掛りロッドチャンバ４２と前記昇降チャンバ３２との間にはプッシュチャンバ４５が連通するように設置され、前記引掛りロッド４３の右端には固定ブロック４６が固定的に設置され、前記固定ブロック４６の下端には前記昇降ブロック３３に固定されるプッシュブロック４７が当接できるように設置され、  
前記昇降ブロック３３が上昇し前記仕切板４０のロックを解除し、前記昇降ブロック３３が降下し前記ロックブロック２６のロックを解除する。  
【００１５】
有益的には、前記圧着装置１０３は前記棒針チャンバ１３の前後壁に対称的に、且つ連通するように設置される押し板チャンバ４９を含み、前記押し板チャンバ４９の中には押し板５０が反転できるように設置され、前記押し板５０の軸心端には従動傘歯車５１が固定的に設置され、前記従動傘歯車５１において中心から離れている一端には前記押し板チャンバ４９の内壁に回転できるように連結される駆動傘歯車５２が噛合し設置され、前記押し板チャンバ４９において中心から離れている側にはプーリチャンバ５３が設置され、前記プーリチャンバ５３の中には前記駆動傘歯車５２に伝動できるように連結される従動プーリ５４が回転できるように設置され、前記回転軸２３において中心から離れている一端が前記プーリチャンバ５３の中に伸びており、また前記回転軸２３において中心から離れている一端には駆動プーリ５５が固定的に設置され、前記従動プーリ５４と前記駆動プーリ５５との間には伝動ベルト５６が周設され、  
前記掛け棒装置１０４は前記編みチャンバ１２の前後壁に対称的に、且つ連通するように設置される伸縮チャンバ５７を含み、前記伸縮チャンバ５７の中には伸縮板５８がスライドできるように設置され、前記伸縮チャンバ５７と前記伸縮板５８との間には圧着ばね５９が固定的に連結され、前記伸縮板５８の中には向かい合って開口した伸び穴６０が設置され、前記編みチャンバ１２の中には前後端が前記伸び穴６０の中に伸びている掛けロッド６１が設置され、  
前記押し板５０が棒針を圧着でき、前記掛けロッド６１が取り外し可能であり、またマフラーの先端を固定する。  
【００１６】
初期状態には、左折り板１９と右折り板２０とが水平状態にあり、仕切板４０が糸ボールチャンバ１５を密封する。  
【００１７】
マフラーを編むとき、制御ブロック３６を下に押し昇降ブロック３３を降下連動させ、引き糸３８によりロックロッド２８を引きロック溝２７から右へ反転し出させ、引き上げ板２４により左折り板１９と右折り板２０とを垂直状態に折畳み、また編みチャンバ１２を開け、このとき反転ブロック２２が回転し回転軸２３により駆動プーリ５５を回転連動させ、伝動ベルト５６により従動プーリ５４を回転連動させ、また駆動傘歯車５２を回転連動させ、歯車噛合により従動傘歯車５１を回転連動させ、また押し板５０を押し板チャンバ４９の中まで反転連動させ、伸縮板５８を両側に押し、掛けロッド６１を取り外し、マフラーの先端を掛けロッド６１に編んだ後に掛けロッド６１を復帰させ、そして編み、糸ボールを使い切る前に、制御ブロック３６を上に引き昇降ブロック３３を上昇連動させ、プッシュブロック４７により固定ブロック４６と引掛りロッド４３とを上昇連動させ、仕切板４０を反転させ、反転板チャンバ３９を開け、糸ボールチャンバ１５の中に落ちる次の糸ボールを使い切れそうになっている糸と接合し、ガラス４８を閉めると編み続けることができ、編みが停止されると、棒針を棒針チャンバ１３の中に置き、マフラーをきれいに編みチャンバ１２の中に置き、左折り板１９と右折り板２０とを初期状態に戻らせ、このとき押し板５０が棒針の両端を圧着する。  
【００１８】
本発明の有益的な効果は：本発明は構造が簡単で、操作が便利であり、本装置により編んだ部分と、棒針と、糸ボールとを分けて保存し、糸が絡み合うことを避け、同時に棒針を固定し、取るときに手を傷つけることを避け、編みをよく補助できる。  
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。